【手続補正書】
【提出日】平成18年2月10日(2006.2.10)
【手続補正１】
【補正対象書類名】明細書
【補正対象項目名】特許請求の範囲
【補正方法】変更
【補正の内容】
【特許請求の範囲】
【請求項１】  物体側から順に、正の屈折力を有する第１レンズ群と、負の屈折力を有する第２レンズ群と、正の屈折力を有する第３レンズ群と、負の屈折力を有する第４レンズ群を有し、
第２レンズ群が、正レンズと負レンズとの接合レンズと、負レンズを有し、
第４レンズ群が、負レンズと正レンズとの接合レンズと、負レンズを有し、
νｄを前記第１レンズ群中の正の屈折力を有するレンズのアッベ数、ｆ４を第４レンズ群の焦点距離、ｆを光学系全体の焦点距離としたとき、次の条件式を満たすことを特徴とする望遠レンズ。
νｄ  ＞  ８０
−０．５  ＞  ｆ４／ｆ  ＞  −１．２
【請求項２】  前記第４レンズ群中の前記接合レンズにおける、正レンズの屈折率をｎｄ１、負レンズの屈折率をｎｄ２としたとき、次の条件式を満たすことを特徴とする請求項１に記載の望遠レンズ。
ｎｄ１−ｎｄ２  ＞  ０．２
【請求項３】  物体側から順に、正の屈折力を有する第１レンズ群と、負の屈折力を有する第２レンズ群と、正の屈折力を有する第３レンズ群と、負の屈折力を有する第４レンズ群を有し、
第１レンズ群が、少なくとも２枚の正レンズと２枚の負レンズとで構成されていることを特徴とする望遠レンズ。
【請求項４】  前記第１レンズ群が、物体側から順に、負レンズと、２枚の正レンズと、負レンズとで構成されていることを特徴とする請求項３に記載の望遠レンズ。
【請求項５】  至近距離へのフォーカシングに際し、前記第２レンズ群と第４レンズ群を像側へ移動させるように構成されていることを特徴とする請求項１乃至４のいずれかに記載の望遠レンズ。
【請求項６】  前記第４レンズ群が、正レンズと負レンズとの接合レンズと、負メニスカスレンズを有していることを特徴とする請求項１乃至５のいずれかに記載の望遠レンズ。
【請求項７】  前記第１レンズ群が複数の正の屈折力を持つレンズを有し、且つ、それら正の屈折力を持つレンズのうち複数のレンズが以下の条件式を満足することを特徴とする請求項１又は２に記載の望遠レンズ。
νｄ＞８０
【請求項８】  前記第１レンズ群中の正の屈折力を有する全てのレンズが以下の条件式を満足することを特徴とする請求項１乃至７のいずれかに記載の望遠レンズ。
８５＞νｄ＞８０
【請求項９】  ｆ４を第４レンズ群の焦点距離、ｆを光学系全体の焦点距離としたとき、以下の条件式を満足することを特徴とする請求項１乃至８のいずれかに記載の望遠レンズ。
−０．６＞ｆ４／ｆ＞−１．１
【請求項１０】  前記第４レンズ群が、物体側から順に、負レンズと正レンズとの接合レンズと、負レンズとからなり、前記第４レンズ群中の前記接合レンズにおける正レンズの屈折率をｎｄ１、負レンズの屈折率をｎｄ２としたとき、次の条件式を満たすことを特徴とする請求項３又は４に記載の望遠レンズ。
ｎｄ１−ｎｄ２＞０．２
【請求項１１】  前記第４レンズ群が、物体側から順に、負レンズと正レンズとの接合レンズと、負レンズとからなり、前記第４レンズ群中の前記接合レンズにおける正レンズの屈折率をｎｄ１、負レンズの屈折率をｎｄ２としたとき、以下の条件式を満足することを特徴とする請求項２乃至４のいずれかに記載の望遠レンズ。
０．５＞ｎｄ１−ｎｄ２＞０．２
【請求項１２】  至近距離へのフォーカシングに際し、少なくとも第１レンズ群を固定し、前記第２レンズ群を像側へ移動させるように構成されていることを特徴とする請求項１乃至４のいずれかに記載の望遠レンズ。
【請求項１３】  至近距離へのフォーカシングに際し、前記第２レンズ群を像側へ移動させると共に前記第３レンズ群を物体側へ移動させるように構成されていることを特徴とする請求項１乃至４のいずれかに記載の望遠レンズ。
【請求項１４】  至近距離へのフォーカシングに際し、前記第１レンズ群と第３レンズ群を固定させることを特徴とする請求項５に記載の望遠レンズ。
【請求項１５】  至近距離へのフォーカシングに際し、前記第１レンズ群と第４レンズ群を固定させることを特徴とする請求項１３に記載の望遠レンズ。
【請求項１６】  撮影半画角が１０．０°乃至０．５°であることを特徴とする請求項１乃至１５のいずれかに記載の望遠レンズ。
【請求項１７】  前記第２レンズ群が、物体側から順に、正レンズと負レンズとの接合レンズと、負レンズとからなることを特徴とする請求項１乃至１６のいずれかに記載の望遠レンズ。
【請求項１８】  前記第４レンズ群が、物体側から順に、負レンズと正レンズとの接合レンズと、負レンズとからなることを特徴とする請求項１乃至１７のいずれかに記載の望遠レンズ。
【請求項１９】  請求項１乃至１８のいずれかに記載の望遠レンズを有し、且つ、該望遠レンズの像面側に、カメラと接続可能なレンズマウント部を有することを特徴とする望遠レンズ装置。
【手続補正２】
【補正対象書類名】明細書
【補正対象項目名】００１２
【補正方法】変更
【補正の内容】
【００１２】
また、本第３の発明による望遠レンズは、物体側から順に、正の屈折力を有する第１レンズ群と、負の屈折力を有する第２レンズ群と、正の屈折力を有する第３レンズ群と、負の屈折力を有する第４レンズ群を有し、第１レンズ群が、少なくとも２枚の正レンズと２枚の負レンズとで構成されていることを特徴としている。
また、本第４の発明による望遠レンズは、前記第１レンズ群が、物体側から順に、負レンズと、２枚の正レンズと、負レンズとで構成されていることを特徴としている。
また、本第５の発明による望遠レンズは、至近距離へのフォーカシングに際し、前記第２レンズ群と第４レンズ群を像側へ移動させるように構成されていることを特徴としている。
また、本第６の発明による望遠レンズは、前記第４レンズ群が、正レンズと負レンズとの接合レンズと、負メニスカスレンズを有していることを特徴としている。
また、本第７の発明による望遠レンズは、前記第１レンズ群が複数の正の屈折力を持つレンズを有し、且つ、それら正の屈折力を持つレンズのうち複数のレンズが以下の条件式を満足することを特徴としている。
νｄ＞８０
また、本第８の発明による望遠レンズは、前記第１レンズ群中の正の屈折力を有する全てのレンズが以下の条件式を満足することを特徴としている。
８５＞νｄ＞８０
また、本第９の発明による望遠レンズは、ｆ４を第４レンズ群の焦点距離、ｆを光学系全体の焦点距離としたとき、以下の条件式を満足することを特徴としている。
−０．６＞ｆ４／ｆ＞−１．１
また、本第１０の発明による望遠レンズは、前記第４レンズ群が、物体側から順に、負レンズと正レンズとの接合レンズと、負レンズとからなり、前記第４レンズ群中の前記接合レンズにおける正レンズの屈折率をｎｄ１、負レンズの屈折率をｎｄ２としたとき、次の条件式を満たすことを特徴としている。
ｎｄ１−ｎｄ２＞０．２
また、本第１１の発明による望遠レンズは、前記第４レンズ群が、物体側から順に、負レンズと正レンズとの接合レンズと、負レンズとからなり、前記第４レンズ群中の前記接合レンズにおける正レンズの屈折率をｎｄ１、負レンズの屈折率をｎｄ２としたとき、以下の条件式を満足することを特徴としている。
０．５＞ｎｄ１−ｎｄ２＞０．２
また、本第１２の発明による望遠レンズは、至近距離へのフォーカシングに際し、少なくとも第１レンズ群を固定し、前記第２レンズ群を像側へ移動させるように構成されていることを特徴としている。
また、本第１３の発明による望遠レンズは、至近距離へのフォーカシングに際し、前記第２レンズ群を像側へ移動させると共に前記第３レンズ群を物体側へ移動させるように構成されていることを特徴としている。
また、本第１４の発明による望遠レンズは、至近距離へのフォーカシングに際し、前記第１レンズ群と第３レンズ群を固定させることを特徴としている。
また、本第１５の発明による望遠レンズは、至近距離へのフォーカシングに際し、前記第１レンズ群と第４レンズ群を固定させることを特徴としている。
また、本第１６の発明による望遠レンズは、撮影半画角が１０．０°乃至０．５°であることを特徴としている。
また、本第１７の発明による望遠レンズは、前記第２レンズ群が、物体側から順に、正レンズと負レンズとの接合レンズと、負レンズとからなることを特徴としている。
また、本第１８の発明による望遠レンズは、前記第４レンズ群が、物体側から順に、負レンズと正レンズとの接合レンズと、負レンズとからなることを特徴としている。
更に、本第１９の発明による望遠レンズ装置は、本第１乃至１８の発明のいずれかによる望遠レンズを有し、且つ、該望遠レンズの像面側に、カメラと接続可能なレンズマウント部を有することを特徴としている。